(57)【要約】【課題】バランス質量を具える回し挽き鋸において，重心線周りでの旋回運動に際しても振動を効果的に抑制可能であり，特に，往復ロッドの領域でコンパクト化を達成することができ，しかも経済的に製造可能な構造を提案する。【解決手段】本発明に係る手持式回し挽き鋸は，モータ（２）による駆動時に，一端部に工具ホルダ（５）が設けられた往復ロッド（４）をその長手方向軸線（Ｌ）に沿って往復運動させると共に，往復ロッド（４）の中心軸線（Ａ）近傍に重心を有するバランス質量（１）を往復ロッド（４）の長手方向軸線（Ｌ）に沿い，往復ロッド（４）に対して逆相で往復運動させる運動変換器（６）を具える。本発明では，バランス質量（１）により往復ロッド（４）を，少なくとも部分的に外周側から包囲する。【選択図】図１
2004066826.tif 000002
【特許請求の範囲】
【請求項１】
　モータ（２）と，ハウジング内に設けられ，モータ（２）により駆動される往復ロッド（４）とを具え，該往復ロッド（４）の一端部に工具ホルダ（５）が設けられ，更に，モータ（２）による駆動時に，往復ロッド（４）をその長手方向（Ｌ）に往復運動させると共に，往復ロッド（４）の中心軸線（Ａ）近傍に重心を有するバランス質量（１）を往復ロッド（４）の長手方向軸線（Ｌ）に，往復ロッド（４）に対して逆相で往復運動させる運動変換器（６）を具える手持式の回し挽き鋸において，バランス質量（１）により往復ロッド（４）を，少なくとも部分的に外周側から包囲することを特徴とする回し挽き鋸。
【請求項２】
　請求項１記載の回し挽き鋸において，前記バランス質量（１）が，前記長手方向（Ｌ）に案内される軸受ガイド手段を具え，該軸受ガイド手段がモータ（２）の支持部材に配置されていることを特徴とする回し挽き鋸。
【請求項３】
　請求項１又は２に記載の回し挽き鋸において，前記軸受ガイド手段が，前記往復ロッド（４）を挿通させるための真っ直ぐな凹所（９，１０）を具えることを特徴とする回し挽き鋸。
【請求項４】
　請求項３記載の回し挽き鋸において，前記凹所が，バランス質量（１）における工具から離れた側の端部領域に配置されていることを特徴とする回し挽き鋸。
【請求項５】
　請求項１〜４の何れか一項に記載の回し挽き鋸において，前記バランス質量（１）が，複数の要素から構成されたものであることを特徴とする回し挽き鋸。
【請求項６】
　請求項５記載の回し挽き鋸において，前記バランス質量（１）が，軸受プレート（１９）と，該軸受プレート（１９）に対して結合手段（２１）により結合されるカバープレート（２０）とを具えることを特徴とする回し挽き鋸。
【請求項７】
　請求項６記載の回し挽き鋸において，前記カバープレート（２０）が，前記往復ロッド（４）の長手方向（Ｌ）と交差する面内で略Ｕ字断面形状を有することを特徴とする回し挽き鋸。
【請求項８】
　請求項６又は７に記載の回し挽き鋸において，前記軸受プレート（１９）が前記運動変換器（６）と協働することを特徴とする回し挽き鋸。
【請求項９】
　請求項６〜８の何れか一項に記載の回し挽き鋸において，前記結合手段（２１）が，何れも前記軸受プレート（１９）及びカバープレート（２０）の間に配置される継手（２２）及び結合ねじ（２３）を具えることを特徴とする回し挽き鋸。
【発明の詳細な説明】
【技術分野】
【０００１】
　本発明は，バランス質量を具える手持式回し挽き鋸に関し，特に，モータと，ハウジング内に設けられ，モータにより駆動される往復ロッドとを具え，該往復ロッドの一端部に工具ホルダが設けられ，更に，モータによる駆動時に，往復ロッドをその長手方向に往復運動させると共に，往復ロッドの中心軸線近傍に重心を有するバランス質量を往復ロッドの長手方向に，往復ロッドに対して逆相で往復運動させる運動変換器を具える回し挽き鋸に関するものである。
【背景技術】
【０００２】
　上述の構成を有する回し挽き鋸は，木材等のワークを加工するために使用されるものであり，往復ロッドを往復運動させるためのモータと，モータの回転運動を鋸刃の往復運動に変換するための偏心機構等よりなる運動変換器とを具えている。
【０００３】
【特許文献１】ドイツ特許出願公開ＤＥ１９６０９３８８Ａ１公報
【０００４】
　ドイツ特許出願公開ＤＥ１９６０９３８８Ａ１公報（特許文献１）は，モータと，ハウジング内に設けられ，モータで駆動される往復ロッドとを具える手持式回し挽き鋸を記載している。往復ロッドは，一端部に工具ホルダを具え，運動変換器は，モータによる駆動時に往復ロッドをその長手方向に往復運動させる。既知の回し挽き鋸は，更に，運動変換器によって駆動されるバランス質量を具える。このバランス質量は，往復ロッドの往復運動に対して逆相で，すなわち１８０°の位相差をもって往復運動するものであり，往復ロッドの運動方向に対して交差する面内で略Ｕ字断面形状を有する。
【０００５】
　上述した従来技術によれば，往復ロッドに対して逆相としたバランス質量の往復運動により，振動を平衡させることができる。その反面，バランス質量を略Ｕ字断面形状としたことにより，回し挽き鋸の重心線周りでの旋回運動に際して振動が生じる欠点がある。
【発明の開示】
【発明が解決しようとする課題】
【０００６】
　本発明の課題は，バランス質量を具える回し挽き鋸において，重心線周りでの旋回運動に際しても振動を効果的に抑制可能であり，特に，往復ロッドの領域でコンパクト化を達成することができ，しかも経済的に製造可能な構造を提案することにある。
【課題を解決するための手段】
【０００７】
　この課題を解決するため，本発明は，モータと，ハウジング内に設けられ，モータにより駆動される往復ロッドとを具え，該往復ロッドの一端部に工具ホルダが設けられ，更に，モータによる駆動時に，往復ロッドをその長手方向に往復運動させると共に，往復ロッドの中心軸線近傍に重心を有するバランス質量を往復ロッドの長手方向に，往復ロッドに対して逆相で往復運動させる運動変換器を具える手持式の回し挽き鋸において，バランス質量により往復ロッドを，少なくとも部分的に外周側から包囲することを特徴とするものである。
【０００８】
　本発明によれば，バランス質量が往復ロッドを少なくとも部分的に包囲することにより，回し挽き鋸の重心を往復ロッドの中心軸線近傍に定位させることが可能である。更に，バランス質量を往復ロッドの外周側に配置することにより，バランス質量の構造，ひいては往復ロッドの領域での回し挽き鋸の構造をコンパクト化することが可能である。
【０００９】
　バランス質量の運動を正確に案内するため，バランス質量に，長手方向に案内される軸受ガイド手段を設け，該軸受ガイド手段をモータの支持部材に配置するのが好適である。
【００１０】
　回し挽き鋸を低コストで製造可能とするため，軸受ガイド手段は，往復ロッドを挿通させるための真っ直ぐな凹所で構成するのが好適である。
【００１１】
　往復ロッドを長手方向でコンパクトな構造とするため，前記凹所は，バランス質量における工具から離れた側の端部領域に配置するのが好適である。
【００１２】
　回し挽き鋸の組立て作業性を向上するため，バランス質量を複数の要素，好適には二つの要素から構成するのが有利である。
【００１３】
　この場合，バランス質量は，軸受プレートと，結合手段により該軸受プレートに結合されるカバープレートとを具える構成とするのが望ましい。
【００１４】
　往復ロッドに対するバランス質量の運動を確実に案内するため，カバープレートは，往復ロッドの長手方向と交差する面内で略Ｕ字断面形状とするのが好適である。
【００１５】
　軸受プレートは，運動変換器と往復ロッドとの間に配置して，運動変換器と協働させるのが好適である。
【００１６】
　軸受プレート及びカバープレートを互いに結合するための結合手段は，何れも両プレート間に配置される継手及び結合ねじで構成するのが好適である。これにより，組立てに際して軸受プレートに対するカバープレートの正確な位置決めが行われ，両プレート間を安定に結合することが可能である。
【発明を実施するための最良の形態】
【００１７】
　以下，本発明を図示の実施形態について更に具体的に説明する。
【００１８】
　図１に示す本発明に係る回し挽き鋸は，モータ２と，図示しないハウジング内に設けられ，モータ２により駆動される往復ロッド４とを具え，往復ロッド４は一端部に工具ホルダ５を有する。更に，回し挽き鋸は，モータ２による駆動時に往復ロッド４をその長手方向Ｌで往復運動させると共に，往復ロッド４の中心軸線Ａ近傍に重心を有するバランス質量１を，往復ロッド４とは逆相で往復運動させるための運動変換器６を具える。
【００１９】
　運動変換器６は，モータ２と協働する偏心機構を具える。この偏心機構は，往復ロッド４に，往復ロッド４の長手方向Ｌに対して直角に延在させたリンク１１と，モータ２により駆動される歯車１２と，リンク１１に係合する偏心突部１３と，歯車１２に対して偏心的に設けた円筒形状の駆動部１４とを具える。偏心突部１３は歯車１２に対して偏心的に，かつ回動可能に設けられており，往復ロッド４の長手方向軸線Ｌに対して交差する方向に突出してリンク１１内に可動係合する。バランス質量１は，モータ２に対向する側１５に受孔１６を具える。受孔１６は，駆動部１４を支持するためにモータ２の長手方向に延在して直通する。
【００２０】
　図１は，本発明による回し挽き鋸の第１実施形態を示す斜視図である。この実施形態においては，フレーム形状としたバランス質量１を，往復ロッド４の長手方向Ｌでガイド部材によりその運動を案内可能とした状態で，モータ２の支持部材（図示せず）により担持する。そのために，ガイド部材に，往復ロッド４の長手方向Ｌに延在するスリット８を設け，このスリット８内に図示しないガイドピンを挿通可能とする。バランス質量１には，工具から離れた側の端部領域で，往復ロッド４の長手方向Ｌに延在する凹所としての貫通孔９を形成し，この貫通孔９内に円形断面を有する往復ロッド４を係合させる。工具側の端部領域では，バランス質量１に，往復ロッド４の長手方向Ｌに延在する凹所１０を設け，この凹所１０内には往復ロッド４及び工具ホルダ５とを挿通する。バランス質量１は，往復ロッド４をその長手方向で部分的に，しかも外周側からは完全に包囲する。
【００２１】
　図２及び図３は，バランス質量１の第２実施形態を示す。この実施形態におけるバランス質量１は，往復ロッド４を完全に包囲するものであり，軸受プレート１９と，結合手段２１により軸受プレート１９に結合されるカバープレート２０とを具える。カバープレート２０は，往復ロッド４の長手方向軸線と交差する面内で略ほぼＵ字形状を呈する。運動変換器と協働する軸受プレート１９は，往復ロッド４の長手方向Ｌに向けて延在する３本の長手方向スリット８を有する。これらのスリット８には，モータ２の支持部材に固定した対応するガイドピンを挿通し，ガイドピンの軸線方向で固定ディスクに固定する。図示は省略するが，軸受プレート１９は，往復ロッドの長手方向Ｌで可動としてモータ２の支持部材により担持される。図３に示すように，結合手段２１は２個の継手２２と１本の結合ねじ２３とを具える。バランス質量１を最終的に取り付けるため，往復ロッド４の長手方向に対して直角方向で互いに対向する継手２２を係止すると共に，工具から離れた側の端部では結合ねじ２３により固定する。カバープレート２０における工具から離れた側の端部領域には，往復ロッド４の軸受用としての貫通孔９を設ける。バランス質量１を経済的に製造可能とするため，カバープレート２０のみならず，軸受プレート１９も押抜き曲げ部材で成形する。第２実施形態における受孔１６は，駆動部１４（図１）を担持するために，往復ロッド４の長手方向Ｌに対して平行に延在する四角形断面を有するものとする。駆動部１４の耐用寿命を向上するため，駆動部１４は回動可能なリンク部材（図示せず）に配置し，このリンク部材は受孔１６内に挿入して形状結合させる。
【００２２】
　継手２２は，カバープレート２０に設けられたフック２２ａと，対応する凹所２２ｂとを具え，これらは互いに係合可能である。図３は，取り付け前の状態にある軸受プレート１９及びカバープレート２０を示す。カバープレート２０及び軸受プレート１９の長手方向側領域に配置した両方の継手２２につき，それぞれ対応するフック２２ａ及び軸受凹所２２ｂは係合解除状態にある。図２は，結合ねじ２３により結合した状態における軸受プレート１９及びカバープレート２０を示している。
【図面の簡単な説明】
【００２３】
【図１】本発明の第１実施形態に係る回し挽き鋸の要部を示す斜視図である。
【図２】バランス質量の第２実施形態を示す斜視図である。
【図３】図２に示したバランス質量の分解斜視図である。
【符号の説明】
【００２４】
１　バランス質量
２　モータ
４　往復ロッド
５　工具ホルダ
６　運動変換器
８　スリット
９　貫通孔
１０　凹所
１１　リンク
１２　歯車
１３　偏心突部
１４　駆動部
１６　受孔
１９　軸受プレート
２０　カバープレート
２１　結合手段
２２　継手
２２ａ　フック
２２ｂ　凹所
２３　結合ねじ
【図１】
2004066826.tif 000003
【図２】
2004066826.tif 000004
【図３】
2004066826.tif 000005